(57)【要約】【課題】クラウン側から見た場合にクラウン側のカットとパビリオン側のカットが複合して浮き出て見えるようにする。【解決手段】パビリオン底部は正六角形の面でガードル部に対し平行で、六角形の面に三角形の面が隣接し、１２個の四角形の面が隣接する四角形の面と辺を共通とし他の辺は三角形の面一辺を共通とし残りの辺はガードル部と一致し、クラウンの頂部は正六角形の面でこれはパビリオン底部の正六角形の面と平行でその向きが同一であり、正六角形の面に三角形の面が隣接し、１２個の四角形の面が隣接する四角形の面と辺を共通とし他の辺は三角形の面と辺を共通とし残りの辺は正三角形の面と辺を共通としている辺と平行でこの四角形の面のガードル側の頂点はガードル部に達し、底辺がガードル部と一致し底辺が連続する６個の扇形の面の他の二辺は四角形の面の頂点がガードル部に達していて隣接している四角形の面の辺と共通である。【選択図】図３
2005111025.tif 000002
【特許請求の範囲】
【請求項１】
ダイヤモンドやキュービックジルコニアのように透明又は半透明であって、円形のガードル部を挟んでクラウンの頂部は平面であり、またパビリオンの最底部も平面である宝飾品であって、カットが少なくともパビリオン側は次の（１）〜（３）の要件を、クラウン側は次の（４）〜（７）の要件をそれぞれ満たしていることを特徴とする宝飾品。
（１）パビリオンの最底部は正六角形の面をしており、ガードル部を基準面とした場合、この基準面に対して平行であること。
（２）前記パビリオン最底部の六角形の面にはその各辺を一辺とする略正三角形の面がそれぞれ隣接していること。
（３）相隣接するものと線対称となる１２個の略四角形の面が、隣接する略四角形の面とそれぞれ辺を共通とし、他の一辺は前記略正三角形の面と一辺を共通とし、残りの一辺はほぼガードル部と一致していること。
（４）クラウンの頂部は正六角形の面をしており、この正六角形の面はパビリオンの最底部の正六角形の面と平行であってその向きが同一であること。
（５）前記クラウン頂部の正六角形の面にはその各辺を一辺とする略正三角形の面がそれぞれ隣接していること。
（６）相隣接するものと線対称となる１２個の四角形の面が、隣接する四角形の面とそれぞれ辺を共通とし、他の一辺は前記略正三角形の面と一辺を共通とし、残りの一辺は前記略正三角形の面と辺を共通としている辺とほぼ平行であり、この四角形の面のガードル側の頂点はほぼガードル部に達していること。
（７）底辺がほぼガードル部と一致していて底辺が連続している６個の略二等辺三角形形状の扇形の面の、他の二辺は前記四角形の面の頂点がガードル部に達していて相隣接している四角形の面のそれぞれの辺と共通していること。
【請求項２】
ダイヤモンドやキュービックジルコニアのように透明又は半透明であって、円形のガードル部を挟んでクラウンの頂部は平面であり、またパビリオンの最底部も平面である宝飾品であって、カットが少なくともパビリオン側は次の（１）〜（３）の要件を、クラウン側は次の（４）〜（７）の要件をそれぞれ満たしていることを特徴とする宝飾品。
（１）パビリオンの最底部は正六角形の面をしており、ガードル部を基準面とした場合、この基準面に対して平行であること。
（２）前記パビリオン最底部の六角形の面にはその各辺を一辺とする略正三角形の面がそれぞれ隣接しており、この各略正三角形の面が、ガードル部を基準面とした場合、この基準面に対しなす角度は３６．０度〜４０．０度であること。
（３）相隣接するものと線対称となる１２個の略四角形の面が、隣接する略四角形の面とそれぞれ辺を共通とし、他の一辺は前記略正三角形の面と一辺を共通とし、残りの一辺はほぼガードル部と一致しており、この各四角形の面が、ガードル部を基準面とした場合、この基準面に対しなす角度は４０．５度〜４１．５度であること。
（４）クラウンの頂部は正六角形の面をしており、この正六角形の面はパビリオンの最底部の正六角形の面と平行であってその向きが同一であること。
（５）前記クラウン頂部の正六角形の面にはその各辺を一辺とする略正三角形の面がそれぞれ隣接しており、この各略正三角形の面が、ガードル部を基準面とした場合、この基準面に対しなす角度は２５．０度〜２９．０度であること。
（６）相隣接するものと線対称となる１２個の略四角形の面が、隣接する略四角形の面とそれぞれ辺を共通とし、他の一辺は前記略正三角形の面と一辺を共通とし、残りの一辺は前記略正三角形の面と辺を共通としている辺と平行であり、この四角形の面のガードル側の頂点はほぼガードル部に達しており、この各四角形の面が、ガードル部を基準面とした場合、この基準面に対しなす角度は３０．５度〜３１．５度であること。
（７）底辺がほぼガードル部と一致していて底辺が連続している６個の略二等辺三角形形状の扇形の面の、他の二辺は前記四角形の面の頂点がガードル部に達していて相隣接している四角形の面のそれぞれの辺と共通しており、この各略二等辺三角形形状の扇形の面が、ガードル部を基準面とした場合、この基準面に対しなす角度は４８．０度〜５２．０度であること。
【請求項３】
ダイヤモンドやキュービックジルコニアのように透明又は半透明な宝飾品の原材料をカットして、円形のガードル部を挟んでクラウンの頂部は平面であり、またパビリオンの最底部も平面であるようにした宝飾品に仕上げるに際し、パビリオン側を（１）〜（４）の工程を、クラウン側を（５）〜（８）の工程を、それぞれ経ることを特徴とする宝飾品のカッティング方法。
（１）ガードル部を真円に形成すること。
（２）パビリオン側を１２等分し、相隣接する扇形の面がそれぞれ両辺が共通し、その扇形の面が、ガードル部を基準面とした場合、この基準面に対しなす角度が４０．５度〜４１．５度となり、ガードル部が各扇形の面の円弧部分となるようにカットすること。
（３）パビリオン側の最底部をガードル部を基準面とした場合に、この基準面に対し平行な正十二角形の面であって、正十二角形の面の外接円直径がガードル部直径の１５〜３０％の長さとなるようにカットすること。
（４）前記正十二角形の面の、一つおきの頂点を結んでこれが略正三角形の一辺となり、他の二辺の頂点が前記扇形の面の相隣接している辺により形成される稜線上に位置して略正三角形の面となり、パビリオン側の最底部は前記一つおきに結んだ略正三角形の一辺が連続することによって正六角形の面となり、この略正三角形の面が、ガードル部を基準面とした場合、この基準面に対しなす角度が３６．０度〜４０．０度となるようにカットすること。
（５）クラウン側の頂部をガードル部に対して平行で、ガードル部からの高さがガードル部直径の２０〜３０％で、略正円の面となるようにカットすること。
（６）クラウン側もパビリオン側と同じ位置で１２等分し、頂部をカットしていないと仮定した場合に形成されることになる１２個の仮想扇形（以下、この「仮想扇形」を「変形台形」と称す。）の面について、相隣接する変形台形の面はそれぞれ両辺が共通し、その変形台形の面が、ガードル部を基準面とした場合、この基準面に対しなす角度が３０．５度〜３１．５度となり、ガードル部が各変形台形の面の下辺部分となるようにカットすること。
（７）クラウン頂部と相隣接する前記変形台形の面の上辺の共通する交点を一つおきに結んでこれが略正三角形の一辺となり、他の二辺の頂点が前記変形台形の面の相隣接している辺により形成される稜線上に位置して略正三角形の面となり、クラウン頂部は前記共通する交点を一つおきに結んだ略正三角形の一辺が連続することによって正六角形の面となりその向きはパビリオン側最底部の正六角形の面と同じであり、この略正三角形の面が、ガードル部を基準面とした場合、この基準面に対しなす角度が２５．０度〜２９．０度となるようにカットすること。
（８）前記略正三角形のガードル側の頂点が位置している変形台形の辺がガードル部に達する点でガードル部を６等分し、この６等分した一辺を底辺とした略二等辺三角形形状の扇形の面の他の２辺は前記略正三角形の辺とそれぞれほぼ平行であり、この略二等辺三角形形状の扇形の面は、ガードル部を基準面とした場合、この基準面に対しなす角度が４８．０度〜５２．０度となるようにカットすること。
【発明の詳細な説明】
【技術分野】
【０００１】
この発明はダイヤモンドやキュービックジルコニアのように透明又は半透明な宝飾品のカッティング方法及びこのカッティング方法により形成された新規な宝飾品のデザインに関するものである。特に、クラウン側と共にパビリオン側にも平面部を形成し、クラウン側から見た場合にパビリオン側に形成したカットがそこに浮き出るようにしたものである。
【背景技術】
【０００２】
従来、ダイヤモンドのカットはラウンドブリリアントカット(round brilliantcut)と称される５８面体カットを基本としており、クラウン側を主に光らせるためにクラウン側に多面体のカットを施し、パビリオン側には限られたカットしか行っていなかった。
【０００３】
そこで、出願人は先にパビリオン側にも装飾的なカットを施し、クラウン側から見た場合にそのカットがそこに浮き出るようなカッティング方法を発明して特許出願した。
【特許文献１】特許第３２１９３６１号公報
【特許文献２】特許第２６５１５２２号公報
【特許文献３】意匠登録第１１６７０７４号公報
【特許文献４】意匠登録第１１７７４３５号公報
【発明の開示】
【発明が解決しようとする課題】
【０００４】
しかし、パビリオン側のカットをクラウン側に模様として浮き出させるためには、ダイヤモンドやキュービックジルコニアなどその使用する原材料によりそのカットの要件が異なる。すなわち、パビリオン側とクラウン側のカット形状や、パビリオン側のカット模様とクラウン側の平面部の大きさや、ガードル部の直径とデプスの割合等をある一定の範囲の関係にしないときれいな模様とならない。
【０００５】
したがって、このようなカッティング方法はダイヤモンドはキュービックジルコニアなどの特定の材料については非常に効果的であるが、カッティング工程が複雑である上許容誤差範囲が極めて小さく、またその他の材料には応用しにくいという問題点があった。
【０００６】
すなわち、カッティング工程が簡単であり、更に各種材料についてそのカッティングが適用でき、しかも従来のものと明らかにデザインが異なりその上見栄えがするような新規な宝飾品とすることが重要である。
【課題を解決するための手段】
【０００７】
そこで、この発明に係る宝飾品は、ダイヤモンドやキュービックジルコニアのように透明又は半透明であって、円形のガードル部を挟んでクラウンの頂部は平面であり、またパビリオンの最底部も平面である宝飾品であって、カットが少なくともパビリオン側は（１）パビリオンの最底部は正六角形の面をしており、ガードル部を基準面とした場合、この基準面に対して平行であり、（２）前記パビリオン最底部の六角形の面にはその各辺を一辺とする略正三角形の面がそれぞれ隣接し、（３）相隣接するものと線対称となる１２個の略四角形の面が、隣接する略四角形の面とそれぞれ辺を共通とし、他の一辺は前記略正三角形の面と一辺を共通とし、残りの一辺はほぼガードル部と一致し、またクラウン側は（４）クラウンの頂部は正六角形の面をしており、この正六角形の面はパビリオンの最底部の正六角形の面と平行であってその向きが同一であり、（５）前記クラウン頂部の正六角形の面にはその各辺を一辺とする略正三角形の面がそれぞれ隣接し、（６）相隣接するものと線対称となる１２個の略四角形の面が、隣接する略四角形の面とそれぞれ辺を共通とし、他の一辺は前記略正三角形の面と一辺を共通とし、残りの一辺は前記略正三角形の面と辺を共通としている辺とほぼ平行であり、この四角形の面のガードル側の頂点はほぼガードル部に達しており、（７）底辺がほぼガードル部と一致していて底辺が連続している６個の略二等辺三角形形状の扇形の面の、他の二辺は前記四角形の面の頂点がガードル部に達していて相隣接している四角形の面のそれぞれの辺と共通しているというものである。
【０００８】
また、この発明に係る宝飾品のカッティング方法は、ダイヤモンドやキュービックジルコニアのように透明又は半透明な宝飾品の原材料をカットして、円形のガードル部を挟んでクラウンの頂部は平面であり、またパビリオンの最底部も平面であるようにした宝飾品に仕上げるに際し、パビリオン側を（１）ガードル部を真円に形成し、（２）パビリオン側を１２等分し、相隣接する扇形の面がそれぞれ両辺が共通し、その扇形の面が、ガードル部を基準面とした場合、この基準面に対しなす角度が４０．５度〜４１．５度となり、ガードル部が各扇形の面の円弧部分となるようにカットし、（３）パビリオン側の最底部をガードル部を基準面とした場合に、この基準面に対し平行な正十二角形の面であって、正十二角形の面の外接円直径がガードル部直径の１５〜３０％の長さとなるようにカットし、（４）前記正十二角形の面の、一つおきの頂点を結んでこれが略正三角形の一辺となり、他の二辺の頂点が前記扇形の面の相隣接している辺により形成される稜線上に位置して略正三角形の面となり、パビリオン側の最底部は前記一つおきに結んだ略正三角形の一辺が連続することによって正六角形の面となり、この略正三角形の面が、ガードル部を基準面とした場合、この基準面に対しなす角度が３６．０度〜４０．０度となるようにカットし、クラウン側を（５）クラウン側の頂部をガードル部に対して平行で、ガードル部からの高さがガードル部直径の２０〜３０％で、略正円の面となるようにカットし、（６）クラウン側もパビリオン側と同じ位置で１２等分し、相隣接する変形台形の面はそれぞれ両辺が共通し、その変形台形の面が、ガードル部を基準面とした場合、この基準面に対しなす角度が３０．５度〜３１．５度となり、ガードル部が各変形台形の面の下辺部分となるようにカットし、（７）クラウン頂部と相隣接する前記変形台形の面の上辺の共通する交点を一つおきに結んでこれが略正三角形の一辺となり、他の二辺の頂点が前記変形台形の面の相隣接している辺により形成される稜線上に位置して略正三角形の面となり、クラウン頂部は前記共通する交点を一つおきに結んだ略正三角形の一辺が連続することによって正六角形の面となりその向きはパビリオン側最底部の正六角形の面と同じであり、この略正三角形の面が、ガードル部を基準面とした場合、この基準面に対しなす角度が２５．０度〜２９．０度となるようにカットし、（８）前記略正三角形のガードル側の頂点が位置している変形台形の辺がガードル部に達する点でガードル部を６等分し、この６等分した一辺を底辺とした略二等辺三角形形状の扇形の面の他の２辺は前記略正三角形の辺とそれぞれほぼ平行であり、この略二等辺三角形形状の扇形の面は、ガードル部を基準面とした場合、この基準面に対しなす角度が４８．０度〜５２．０度となるようにカットしたものである。
【発明の効果】
【０００９】
クラウン側とパビリオン側を平行な正六角形の面とし、その外側に正六角形を一辺とする略正三角形の面を若干の角度を付けて形成することにより、クラウン側から見た場合に、クラウン側表面には同じ形状の正三角形を１８０度向きを変えて重ねたような形状、いわゆるダビデの星の形状がガードル部から浮き出て見え、しかも中央の正六角形の中にはパビリオン側の同様ないわゆるダビデの星の形状が透過して見えることになり、今までになかった新しい印象の宝飾品となる。
【００１０】
また、カット面の数が少ないのでカッティング工程が簡単であると共に、クラウン側とパビリオン側を平行な面にカットすることにより、ダイヤモンドやキュービックジルコニアに限らず各種透明な材料について同じような方法によりカットを施すことができ、宝飾品として応用範囲が極めて広いものとなる。
【発明を実施するための最良の形態】
【００１１】
次に、本発明に係る宝飾品の一実施例を図面に基づいて説明する。本発明で使用する宝石類などは、ダイヤモンドやキュービックジルコニアのように透明又は半透明なものであれば天然石や人造石を問わず各種のものが適用できる。
【００１２】
パビリオン２の最底部は正六角形の面ｂとなっている。そしてこの正六角形の面ｂは、ガードル部１を基準面とした場合、この基準面に対して平行となっている。
【００１３】
パビリオン２の最底部の六角形の面ｂにはその各辺を一辺とする略正三角形の面ｃがそれぞれ隣接している。また、例えばこの各略正三角形の面ｃは、ガードル部１を基準面とした場合、この基準面に対しなす角度が３６．０度〜４０．０度となっている。
【００１４】
相隣接するものと線対称となる１２個の略四角形の面ａが、隣接する略四角形の面ａとそれぞれ辺を共通とし、他の一辺は前記略正三角形の面ｃと一辺を共通とし、残りの一辺はほぼガードル部１と一致している。なお、この略四角形の面ａのガードル部１と一致することとなる辺は実際には直線ないし円弧形状となる。また、例えばこの各略四角形の面ａは、ガードル部１を基準面とした場合、この基準面に対しなす角度が４０．５度〜４１．５度となっている。
【００１５】
一方、クラウン側３の頂部も正六角形の面Ａとなっている。そして、この正六角形の面Ａはパビリオン２の最底部の正六角形の面ｂと平行であってその向きが同一となっている。そして、クラウン側３から見た場合にクラウン側３頂部の正六角形Ａの面の中に、パビリオン側２の正六角形ｂとその外側の略正三角形ｃが見えるようになっている。
【００１６】
クラウン側３の頂部の正六角形の面Ａにはその各辺を一辺とする略正三角形の面Ｃがそれぞれ隣接している。また、例えばこの各略正三角形の面Ｃは、ガードル部１を基準面とした場合、この基準面に対しなす角度が２５．０度〜２９．０度となっている。
【００１７】
相隣接するものと線対称となる１２個の四角形の面Ｂが、隣接する四角形の面Ｂとそれぞれ辺を共通とし、他の一辺は前記略正三角形の面Ｃが前記正六角形の面Ａと辺を共通としていない一辺を共通とし、残りの一辺は前記略正三角形の面Ｃと辺を共通としている辺と平行であり、この四角形の面Ｂのガードル側の頂点はほぼガードル部１に達している。また、例えばこの各四角形の面Ｂは、ガードル部１を基準面とした場合、この基準面に対しなす角度が３０．５度〜３１．５度となっている。
【００１８】
底辺がほぼガードル部１と一致していて底辺が連続している６個の略二等辺三角形形状の扇形の面Ｄ（以下単に「扇形の面Ｄ」と称す。）の、他の二辺は前記四角形の面Ｂの頂点がガードル部１に達していて相隣接している四角形の面Ｂのそれぞれの辺と共通としている。なお、ガードル部１とほぼ一致している箇所は直線ないし円弧形状となる。また、例えばこの各扇形の面Ｄは、ガードル部１を基準面とした場合、この基準面に対しなす角度が４８．０度〜５２．０度となっている。
【実施例】
【００１９】
次に、本発明に係る宝飾品のカッティング方法の実施例について説明する
先ず、宝飾品の略球体形状の原材料を用意する。原材料はダイヤモンド原石や加工前のキュービックジルコニアのほか、透明又は半透明のものであれば何でもよい。なお、原材料は必ずしも球体形状でなくてもよく、例えば立方体や直方体や、その他各種多面体でもよい。また、宝石の原石を加工する場合には、その後の加工に備え、クラウン側とパビリオン側となる部分がそれぞれ所望形状にカットできるようにある程度形を整えておくとよい。これらは通常の宝飾品カットの前処理工程と同じである。
【００２０】
まず、ガードル部１を真円に形成する。次に、パビリオン側２を１２等分し、相隣接する扇形の面がそれぞれ両辺が共通し、その扇形の面が、ガードル部１を基準面とした場合、この基準面に対しなす角度が４０．５度〜４１．５度となり、ガードル部１が各扇形の面の円弧部分となるようにカットする。なお、この扇形の面は最終的には略四角形の面ａを形成することになる。
【００２１】
次に、パビリオン側２の最底部をガードル部１を基準面とした場合に、この基準面に対し平行な正十二角形の面であって、正十二角形の面の外接円直径がガードル部１の直径の１５〜３０％の長さとなるようにカットする。前記工程で１２等分して１２個の扇形の面を形成してあるので、最底部をガードル部１に平行にカットするだけで、正十二角形の面が形成される。なお、この正十二角形の面は最終的には正六角形の面ｂとなる。
【００２２】
そして、前記正十二角形の面の、一つおきの頂点を結んでこれが略正三角形の一辺となり、他の二辺の頂点が前記頂点を選択する際に飛ばした頂点を含む稜線上に位置して略正三角形の面ｃとなり、パビリオン側２の最底部は前記一つおきに結んだ略正三角形の一辺が連続することによって正六角形の面ｂとなり、この略正三角形の面ｃが、ガードル部を基準面とした場合、この基準面に対しなす角度が３６．０度〜４０．０度となるようにカットする。
これにより、パビリオン側２のカット面が形成される。
【００２３】
一方、クラウン側３のカッティング手順を図４〜図６に基づいて説明する。まず、図４に示すようにクラウン側３の頂部をガードル部１に対して平行で、ガードル部１からの高さがガードル部１の直径の２０〜３０％で、略正円の面Ａ’となるようにカットする。この頂部は最終的には正六角形の面Ａとなる。
【００２４】
次に、図５に示すようににクラウン側３もパビリオン側２と同じ位置で１２等分し、頂部をカットしていないと仮定した場合に形成されることになる１２個の仮想扇形、すなわち扇形の中央部分がカットされている結果台形近似形状となる面Ｂ”（本出願ではこの「台形近似形状」を「変形台形」と称している。）について、相隣接する変形台形の面Ｂ”はそれぞれ両辺が共通し、その変形台形の面Ｂ”が、ガードル部１を基準面とした場合、この基準面に対しなす角度が３０．５度〜３１．５度となり、ガードル部１が各変形台形の面Ｂ”の下辺部分となるようにカットする。なお、この変形台形の面Ｂ”は、次工程（図６）で変形四角形の面Ｂ’となり、最終的には四角形の面Ｂとなる。
【００２５】
次に、図６に示すようにクラウン頂部と相隣接する前記変形台形の面Ｂ”の上辺の共通する交点を一つおきに結んでこれが略正三角形の一辺となり、他の二辺の頂点が前記変形台形の面Ｂ”の相隣接している辺により形成される稜線上に位置して略正三角形の面Ｃとなり、クラウン頂部は前記共通する交点を一つおきに結んだ略正三角形の面Ｃの一辺が連続することによって正六角形の面Ａとなりその向きはパビリオン側２最底部の正六角形の面ｂと同じであり、この略正三角形の面Ｃが、ガードル部１を基準面とした場合、この基準面に対しなす角度が２５．０度〜２９．０度となるようにカットする。この工程により変形台形の面Ｂ”は変形四角形の面Ｂ’となる。
【００２６】
そして、略正三角形の面Ｃのガードル側の頂点が位置している変形四角形の面Ｂ’の辺がガードル部１に達する点でガードル部１を６等分し、隣接する変形四角形の面Ｂ’を一組として、この６等分した一辺を円弧部分とした扇形の面Ｄの他の２辺は前記略正三角形の面Ｃの辺とそれぞれほぼ平行であり、この扇形の面Ｄは、ガードル部１を基準面とした場合、この基準面に対しなす角度が４８．０度〜５２．０度となるようにカットする。この工程により、扇形の面Ｄと四角形の面Ｂが形成される。
これにより、クラウン側３のカット面が形成される。
【００２７】
なお、上記実施例ではパビリオン側２を先にカットし、その後クラウン側３をカットする手順を示したが、この逆の手順でカットを行ってもよいことはいうまでもない。
【産業上の利用可能性】
【００２８】
以上のようにしてダイヤモンド原石や加工前のキュービックジルコニアをカットすると、本発明の図１〜図３に示す宝飾品が形成される。このような形状にカットした結果、クラウン側３からパビリオン側２を見ると、クラウン側３頂部の正六角形Ａとその外側に若干の角度を付けて形成した正六角形Ａを一辺とする略正三角形の面Ｃの形状がガードル部１から浮き出し、同じ形状の正三角形を１８０度向きを変えて重ねたような形状、いわゆるダビデの星の形状が創出される。更に、中央の正六角形Ａの中にはパビリオン側２の正六角形ｂと略正三角形ｃにより形成される同様ないわゆるダビデの星の形状が透過して見え、今までになかった新しい印象の宝飾品となる。
【００２９】
なお、本発明の宝飾品は上記のような行程によりカットされたものに限らるものではなく、どのような行程によりカットしたものであっても結果として所定の要件を満たすものであれば本発明として成立する。
【図面の簡単な説明】
【００３０】
【図１】本発明の宝飾品の平面図（クラウン側）である。
【図２】図１の底面図（パビリオン側）である。
【図３】図１の正面図である。
【図４】クラウン側のカッティング工程の説明図である。
【図５】図４のクラウン側のカッティング工程の次工程の説明図である。
【図６】図５のクラウン側のカッティング工程の次工程の説明図である。
【符号の説明】
【００３１】
１  ガードル部
２  パビリオン側
３  クラウン側
【図１】
2005111025.tif 000003
【図２】
2005111025.tif 000004
【図３】
2005111025.tif 000005
【図４】
2005111025.tif 000006
【図５】
2005111025.tif 000007
【図６】
2005111025.tif 000008